(57)【要約】【解決手段】  連通口３が穿設された基板２に、上記連通口３を囲繞するように設けられたビード部４と、上記連通口３の周囲に設けられた複数のボルト穴５とを備えた金属ガスケット１に関する。  上記ビード部４は、上記ボルト穴５の中心を通りかつ上記連通口３の開口縁に直交する線Ｌを挟むように分断されて形成されている。【効果】  ボルトの締結力が低い場合であっても、上記ボルト穴近傍において基板に部材を密着させることができる。【選択図】  図２
2019108938.tif 000002
【特許請求の範囲】
【請求項１】
連通口が穿設された基板に、上記連通口を囲繞するように設けられたビード部と、上記連通口の周囲に設けられた複数のボルト穴とを備えた金属ガスケットにおいて、
上記ビード部は、上記ボルト穴の中心を通りかつ上記連通口の開口縁に直交する線を挟むように分断されて形成されていることを特徴とする金属ガスケット。
【請求項２】
上記ビード部の端部が上記連通口の開口縁に連通していることを特徴とする請求項１に記載の金属ガスケット。
【請求項３】
上記ビード部の端部が上記ボルト穴の開口縁に達していることを特徴とする請求項１に記載の金属ガスケット。
【請求項４】
上記ビード部において上記連通口側より最も離隔した部分が、上記ボルト穴において上記連通口側に最も接近した部分よりも、上記連通口に対して離隔する方向に位置していることを特徴とする請求項１ないし請求項３のいずれかに記載の金属ガスケット。
【発明の詳細な説明】
【技術分野】
【０００１】
本発明は金属ガスケットに関し、詳しくは連通口が穿設された基板に、上記連通口を囲繞するビード部およびボルト穴を備えた金属ガスケットに関する。
【背景技術】
【０００２】
従来、流体等が流通する通路の形成された二つの部材の間に設けられてこれらの部材の間をシールするガスケットが知られ、このようなガスケットとして、上記通路の位置に合わせて連通口が穿設された基板に、上記連通口を囲繞するように設けられたビード部と、上記連通口の周囲に設けられた複数のボルト穴とが形成された金属ガスケットが知られている（特許文献１、２）。
このような金属ガスケットでは、上記金属ガスケットを２つの部材の間に介在させることで、上記ビード部の位置に面圧が生じてシール効果を得るようになっており、特許文献１、２に開示される金属ガスケットのビード部は連通口の周囲を無端状に囲繞するように形成されている。
【先行技術文献】
【特許文献】
【０００３】
【特許文献１】特開平１１−０３６９８０号公報
【特許文献２】特開平７−１８９７２３号公報
【発明の概要】
【発明が解決しようとする課題】
【０００４】
ここで、上記金属ガスケットを２つの部材の間に介在させてボルトにより連結する際、ボルトの締結力が弱いと、上記ボルト穴に接近した部分では、上記ビード部が有する弾性力によって上記部材と上記基板とを密着させることができない場合がある。
その場合、その後の使用により上記ビード部がへたると、上記部材と金属ガスケットとの間に隙間が生じてしまい、ボルトのゆるみや、部材が上記ボルトに衝突することによってボルトが破損してしまうという問題があった。
このような問題に鑑み、本発明はボルトの締結力が弱い場合であってもボルト穴の近傍において基板に部材を密着させることが可能な金属ガスケットを提供するものである。
【課題を解決するための手段】
【０００５】
すなわち、請求項１の発明にかかる金属ガスケットは、連通口が穿設された基板に、上記連通口を囲繞するように設けられたビード部と、上記連通口の周囲に設けられた複数のボルト穴とを備えた金属ガスケットにおいて、
上記ビード部は、上記ボルト穴の中心を通りかつ上記連通口の開口縁に直交する線を挟むように分断されて形成されていることを特徴としている。
【発明の効果】
【０００６】
上記発明によれば、上記ボルト穴の中心を通りかつ上記連通口の開口縁に直交する線を挟んで、上記ビード部が分断されていることから、ボルト穴の周辺でのビードの反発力を低減することができる。
このため、ボルトの締結力が弱くても、ボルト穴の近傍において基板に部材を密着させることが可能となり、ボルトのゆるみや破損を防止することができる。
【図面の簡単な説明】
【０００７】
【図１】第１実施例にかかる金属ガスケットの平面図
【図２】上記金属ガスケットの拡大平面図
【図３】図２におけるＩＩＩ―ＩＩＩ部の断面図
【図４】第２実施例にかかる金属ガスケットの平面図
【図５】第３実施例にかかる金属ガスケットの平面図
【発明を実施するための形態】
【０００８】
以下図示実施例について説明すると、図１は第１実施例にかかる金属ガスケット１の平面図を示し、当該金属ガスケット１は例えば自動車のディファレンシャルギアケースをシールするために使用される。
上記金属ガスケット１は金属製の基板２によって構成され、当該基板２には円形の連通口３が穿設されるとともに、上記連通口３を囲繞するように設けられたビード部４と、上記連通口３の周囲に設けられた複数のボルト穴５とを備えている。
上記基板２は上記連通口３を囲繞するように所定の幅で形成されたリング状を有しており、また上記ボルト穴５は連通口３の開口縁に接近した位置に設けられるとともに当該開口縁に対して等距離に設けられており、また上記連通口３の周囲に等間隔に設けられている。
【０００９】
本実施例のビード部４は上記連通口３を断続的に囲繞しており、図２に示すように各ビード部４は隣接するボルト穴５とボルト穴５との間でそれぞれ円弧状に形成されている。
具体的に説明すると、各ビード部４は、上記ボルト穴５の中心を通りかつ上記連通口３の開口縁に直交する線Ｌに対し、当該線Ｌを挟んで分断されるように形成されている。
各ビード部４の上記円弧部分の頂部４ａ（上記連通口３側より最も離隔した部分）は、上記ボルト穴５において上記連通口３側に最も接近した部分５ａよりも、上記連通口３に対して離隔する方向に位置している。
一方、各ビード部４の端部４ｂは、上記連通口３の開口縁に接近した位置に設けられ、上記ボルト穴５の上記最接近部分５ａよりも連通口３に接近する方向に位置している。
そして、本実施例のビード部４は、図３に示すように図示上方に突出して形成されたフルビードとなっている。
【００１０】
上記構成を有する金属ガスケット１によれば、当該金属ガスケット１を２つの部材の間に介在させ、これら２つの部材をボルトによって締結すると、上記連通口３の外周に沿って均一な面圧を発生させて優れたシール効果を得ることができる。
具体的に説明すると、上記２つの部材をボルトによって締結すると、上記金属ガスケット１におけるボルト穴５周辺には当該ボルトの締結による面圧が発生する。
一方、上記金属ガスケット１に形成されたビード部４も、２つの部材に挟持されることで当該ビード部４の形成された位置に面圧を発生させるが、上記ビード部４はボルト穴５の周囲には設けられていないことから、上記ボルト穴５周辺にはビード部４による面圧が生じないか、もしくは可及的に小さくなっている。
そして、上記ボルト穴５周辺に生じたボルトの締結による面圧と、上記ビード部４によって生じた面圧とが、連通口３の外周に沿って均一な面圧を生じさせるよう、上記ボルト穴５の位置に対するビード部４の端部の位置や、ビード部４の形状が調整されている。
このように、上記ボルト穴５の周辺に発生する面圧を用いて上記連通口３の周囲をシールすることから、ボルト穴５が上記連通口３に接近して設けられている場合に、本発明による効果をより良好に得ることが可能となっている。
【００１１】
また本実施例の金属ガスケット１では、上述したようにビード部４を上記線Ｌを挟んで分断して設けたことで、上記ボルト穴５の周辺におけるビード部４による反発力が生じないか、もしくは反発力を可及的に小さくすることができる。
これにより、上記２つの部材を連結するためのボルトの締結力が低くても、上記部材をボルト穴５周辺の基板２に密着させることが可能となる。
これに対し、特許文献１、２のようにビード部が連通口を無端状に囲繞した構成では、上記ボルト穴周辺には上記ビード部による反発力が発生するため、ボルトの締結力が低いと部材をボルト穴周辺の基板に密着させることができないことがある。
その場合、使用によって上記ビード部にへたりが生じると、金属ガスケットと部材との間に隙間が生じてしまい、ボルトが緩んでしまったり、振動によって上記部材が繰り返しボルトに衝突して、ボルトを損傷させる恐れがあった。
【００１２】
なお上記実施例では、上記分断したビード部４を略円弧状に形成しているが、その他の形状であってもよく、例えば中央部を上記連通口３の開口縁と平行に設けて、その両端の端部４ｂを上記連通口３に向けて形成するようにしてもよい。
また、上記ビード部４として、上記フルビードの他、ハーフビードを採用してもよい。
【００１３】
図４は第２実施例にかかる金属ガスケット１の平面図を示し、第１実施例の金属ガスケット１と同様、金属製の基板２によって構成され、当該基板２には円形の連通口３と、当該連通口３を囲繞するように断続的に設けられたビード部４と、上記連通口３の周囲に設けられた複数のボルト穴５とを備えている。
本実施例のビード部４も、上記ボルト穴５の中心を通りかつ上記連通口３の開口縁に直交する線Ｌを挟んで分断されて形成されており、また本実施例における各ビード部４の端部は上記連通口３の開口縁に連通するように形成されている。
このように、ビード部４の端部を連通口３の開口縁に連通させることで、当該ビード部４の端部形状による反発力をより小さくすることが可能となり、ボルトの締結力が低くてもボルト穴５周辺で部材を基板２に密着させることが可能となる。
【００１４】
図５は第３実施例にかかる金属ガスケット１の平面図を示し、第１、第２実施例の金属ガスケット１と同様、金属製の基板２によって構成され、当該基板２には円形の連通口３と、当該連通口３を囲繞するように設けられたビード部４と、上記連通口３の周囲に設けられた複数のボルト穴５とを備えている。
本実施例におけるビード部４も、上記ボルト穴５の中心を通りかつ上記連通口３の開口縁に直交する線Ｌを挟んで分断されて形成されており、また本実施例における各ビード部４の端部は各ボルト穴５の開口縁に達するように形成されている。
具体的には、上記ビード部４は上記連通口３の開口縁と平行に形成され、連通口３の中心までの距離が、上記ボルト穴５の中心から連通口３の中心までの距離と略同一となっている。
【００１５】
このような構成とすることで、上記第１実施例と同様連通口３の外周に沿って均一な面圧を得ることが可能となっている。
上記２つの部材をボルトによって締結することで、ボルト穴５周辺ではボルトの締結による面圧、それ以外の部分では上記ビード部４による面圧が得られることとなる。
このとき、ビード部４の両端がボルト穴５の開口縁に達しているため、ボルトを締結した際に当該ビード部４が変形し、ボルト穴５周辺に過度なビード部４による面圧を生じさせないよう、ビード部４の形状が調製されている。
なお本実施例では、上記分断されたビード部４を連通口３の開口縁と平行に設けているが、必要とされる面圧等に応じて中央部を連通口３側に接近させて設けたり、ビード部４の断面形状を中央部と端部とで異ならせることも可能である。
【００１６】
なお、上記各実施例において、上記連通口３は円形を有しているが、その他の形状を有していてもよく、またボルト穴５も連通口３の開口縁に対して等距離である必要も、連通口３の外周縁に沿って等間隔に設ける必要もない。
さらに、上記実施例では金属ガスケット１を１枚の基板２によって構成しているが、これを複数枚の基板２によって構成してもよく、その場合において、一方の基板２の連通口３の開口縁をヘミング加工して他方の基板２を覆うような構成としてもよい。
また複数枚の基板２のすべてに上記実施例にかかるビード部４を形成してもよく、また一部の基板２についてはビード部４を形成しないようにしてもよい。
【符号の説明】
【００１７】
１  金属ガスケット                    ２  基板
３  連通口                            ４  ビード部
５  ボルト穴                          Ｌ  線
【図１】
2019108938.tif 000003
【図２】
2019108938.tif 000004
【図３】
2019108938.tif 000005
【図４】
2019108938.tif 000006
【図５】
2019108938.tif 000007